(57)【要約】【課題】隣り合う底面パネルおよび正面パネルの一側端をヒンジ部で連結して、天井面に吊下げ設置でき、天井裏に底面吹出しまたは正面吹出しで設置でき、且つ床面上にも設置できるようにしたダクトタイプの空気調和機を提供する。【解決手段】例えば天井裏に底面吹出しで設置する際、天井面Ａにヒンジ部１２で連結された底面パネル７および正面パネル９に対応する開口部１３を連続的に形成する一方、前記底面パネル７と、チャンバー１１と、同チャンバー１１を臨ませた前記正面パネル９とを装着した本体５を設置するようにした。また、底面吹出しで設置する場合、前記チャンバー１１を取り外すと共に、前記正面パネル９を回動して吹出グリル８が吹出口２に対向するように装着する。【選択図】  図６
2004239530.tif 000002
【特許請求の範囲】
【請求項１】
底面に吸込口を備え、正面に吹出口を備え、同吸込口と同吹出口とを結ぶ空気通路に熱交換器および送風機を配設してなる本体と、前記吸込口に対応する吸込グリルを備え、本体の底面に装着される底面パネルと、前記吹出口に対応する吹出グリルを備え、本体の正面に装着される正面パネルと、本体の両側面に装着される側面パネルと、前記吹出口に連通して風向を偏向するチャンバーと、隣り合う前記底面パネルおよび前記正面パネルを互いに回動自在に連結するヒンジ部とからなり、
本体を天井面、天井裏もしくは床面上に設置する場合、設置形態に応じて上記構成でなる部材を適宜組み合わせることにより設置できるようにしてなることを特徴とする空気調和機。
【請求項２】
吊下設置型として天井面から吊下げる場合、本体に前記底面パネルと、同底面パネルに前記ヒンジ部を介して回動自在に連結され、前記吹出グリルを前記吹出口に対向させた前記正面パネルと、前記側面パネルとを夫々装着するようにしてなることを特徴とする請求項１に記載の空気調和機。
【請求項３】
正面吹出型として天井裏に設置する場合、天井面に前記底面パネルに対応する第一開口部を形成すると共に、天井裏の正面壁に前記正面パネルに対応する第二開口部を形成する一方、本体に前記底面パネルと、前記ヒンジ部を介して回動することにより前記吹出グリルを前記吹出口に対向させた前記正面パネルとを装着するようにしてなることを特徴とする請求項１に記載の空気調和機。
【請求項４】
底面吹出型として天井裏に設置する場合、天井面に前記底面パネルおよび前記正面パネルに対応する開口部を連続的に形成する一方、本体に前記底面パネルと、前記チャンバーと、同チャンバーを臨ませるように前記ヒンジ部を介して回動することにより前記底面パネルと面一状にした前記正面パネルとを装着するようにしてなることを特徴とする請求項１に記載の空気調和機。
【請求項５】
隣り合う前記底面パネルおよび前記正面パネルの一側端が断面Ｌ字状に形成されると共に、前記ヒンジ部が隣り合う前記一側端先端部に設けられる一方、前記正面パネルに前記第二開口部の周縁に係脱可能に係止する係止部が設けられてなることを特徴とする請求項４に記載の空気調和機。
【請求項６】
前記係止部が、断面Ｌ字状に形成された前記正面パネルの他側端の内側に設けられ、弾性変形することにより前記第二開口部の周縁に係脱可能に係止する係止片からなることを特徴とする請求項５に記載の空気調和機。
【請求項７】
床面設置型として床面上に設置する場合、本体に前記底面パネルと、前記ヒンジ部を介して回動し、前記吹出グリルを前記吹出口に対向させた前記正面パネルと、前記側面パネルとを装着するようにしてなることを特徴とする請求項１に記載の空気調和機。
【請求項８】
梱包時に本体と、前記底面パネルと、同底面パネルに前記ヒンジ部を介して回動自在に連結された前記正面パネルとを標準部材として標準梱包にし、前記側面パネルおよび前記チャンバーをオプション部材として別梱包にしてなることを特徴とする請求項１乃至請求項４または請求項７の何れかに記載の空気調和機。
【発明の詳細な説明】
【０００１】
【発明の属する技術分野】
本発明は、ダクトタイプの空気調和機に係わり、より詳細には、隣り合う底面パネルおよび正面パネルの一側端をヒンジ部で連結して、天井面に吊下げ設置でき、天井裏に底面吹出しまたは正面吹出しで設置でき、且つ床面上にも設置できるようにした構造に関する。
【０００２】
【従来の技術】
従来の空気調和機には、空気調和する建物や部屋の状況に合わせたシステムとして選択的に使用できるようにし、使用者の利便性を高めるようにしたものとして、天井埋込型空気調和装置の吸込口を、パネル仕様とダクト仕様に共通して使用できる構造にすることにより、一つの共通構造の空気調和機でダクト仕様にもパネル仕様にも使用できるような天井埋込型空気調和装置を提供し、製造、流通コスト面からも使用者の便宜を図るようにすることを目的としたものがあった（例えば、特許文献１参照。）。
【０００３】
しかしながら、上記構成でなる天井埋込型空気調和装置は、隣り合う底面パネルおよび正面パネルの一側端をヒンジ部で連結して、天井面に吊下げ設置でき、コンシールドタイプとして天井裏に底面吹出しまたは正面吹出しで設置でき、且つ床面上にも設置できるようにしたものではないことから、これらの異なる設置形態に容易に対応できるようにし、且つ構成部材の共通化をはかって金型費用を抑えることができるようにすることが望まれていた。
【０００４】
【特許文献１】
特開２０００−３０４２９８号公報（第２頁、第１図乃至第４図）
【０００５】
【発明が解決しようとする課題】
本発明においては、上記の問題点に鑑み、隣り合う底面パネルおよび正面パネルの一側端をヒンジ部で連結して、天井面に吊下げ設置でき、天井裏に底面吹出しまたは正面吹出しで設置でき、且つ床面上にも設置できるようにしたダクトタイプの空気調和機を提供することを目的とする。
【０００６】
【課題を解決するための手段】
本発明は、上記課題を解決するため、底面に吸込口を備え、正面に吹出口を備え、同吸込口と同吹出口とを結ぶ空気通路に熱交換器および送風機を配設してなる本体と、前記吸込口に対応する吸込グリルを備え、本体の底面に装着される底面パネルと、前記吹出口に対応する吹出グリルを備え、本体の正面に装着される正面パネルと、本体の両側面に装着される側面パネルと、前記吹出口に連通して風向を偏向するチャンバーと、隣り合う前記底面パネルおよび前記正面パネルを互いに回動自在に連結するヒンジ部とからなり、
本体を天井面、天井裏もしくは床面上に設置する場合、設置形態に応じて上記構成でなる部材を適宜組み合わせることにより設置できるようにしてなる構成となっている。
【０００７】
また、吊下設置型として天井面から吊下げる場合、本体に前記底面パネルと、同底面パネルに前記ヒンジ部を介して回動自在に連結され、前記吹出グリルを前記吹出口に対向させた前記正面パネルと、前記側面パネルとを夫々装着するようにしてなる構成となっている。
【０００８】
また、正面吹出型として天井裏に設置する場合、天井面に前記底面パネルに対応する第一開口部を形成すると共に、天井裏の正面壁に前記正面パネルに対応する第二開口部を形成する一方、本体に前記底面パネルと、前記ヒンジ部を介して回動することにより前記吹出グリルを前記吹出口に対向させた前記正面パネルとを装着するようにしてなる構成となっている。
【０００９】
また、底面吹出型として天井裏に設置する場合、天井面に前記底面パネルおよび前記正面パネルに対応する開口部を連続的に形成する一方、本体に前記底面パネルと、前記チャンバーと、同チャンバーを臨ませるように前記ヒンジ部を介して回動することにより前記底面パネルと面一状にした前記正面パネルとを装着するようにしてなる構成となっている。
【００１０】
また、隣り合う前記底面パネルおよび前記正面パネルの一側端が断面Ｌ字状に形成されると共に、前記ヒンジ部が隣り合う前記一側端先端部に設けられる一方、前記正面パネルに前記第二開口部の周縁に係脱可能に係止する係止部が設けられてなる構成となっている。
【００１１】
また、前記係止部が、断面Ｌ字状に形成された前記正面パネルの他側端の内側に設けられ、弾性変形することにより前記第二開口部の周縁に係脱可能に係止する係止片からなる構成となっている。
【００１２】
また、床面設置型として床面上に設置する場合、本体に前記底面パネルと、前記ヒンジ部を介して回動し、前記吹出グリルを前記吹出口に対向させた前記正面パネルと、前記側面パネルとを装着するようにしてなる構成となっている。
【００１３】
更に、梱包時に本体と、前記底面パネルと、同底面パネルに前記ヒンジ部を介して回動自在に連結された前記正面パネルとを標準部材として標準梱包にし、前記側面パネルおよび前記チャンバーをオプション部材として別梱包にしてなる構成となっている。
【００１４】
【発明の実施の形態】
以下、本発明の実施の形態を図面に基づいた実施例として詳細に説明する。
図１は本発明による空気調和機の説明図で、（Ａ）は斜視図、（Ｂ）は断面図であり、図２は本発明による空気調和機の分解斜視図であり、図３は本発明による空気調和機の第一の実施例を示す斜視図であり、図４は本発明による空気調和機の説明図で、（Ａ）は第二の実施例を示す斜視図、（Ｂ）は第二の実施例による設置状態を示す斜視図であり、図５は本発明による空気調和機の第二の実施例による設置状態を示す説明図で、（Ａ）は正面パネルを回動する状態を示す断面図、（Ｂ）は正面パネルを９０°回動して吹出グリルを吹出口に対向させた状態を示す断面図、（Ｃ）は（Ｂ）で示すＣ部の拡大図であり、図６は本発明による空気調和機の説明図で、（Ａ）は第三の実施例を示す斜視図、（Ｂ）は第三の実施例による設置状態を示す断面図であり、図７は本発明による空気調和機の第四の実施例を示す斜視図である。
【００１５】
本発明によるダクトタイプの空気調和機は、図で示すように、底面に吸込口１を備え、正面に吹出口２を備え、同吸込口１と同吹出口２とを結ぶ空気通路に熱交換器３および送風機４を配設して本体５が構成されている。
【００１６】
本体５の底面には、前記送風機４を臨ませるように、前記吸込口１に対向する吸込グリル６を備えた底面パネル７が装着されるようになっている。
【００１７】
本体５の正面には、前記熱交換器３を臨ませるように、吹出グリル８を有する吹出口２を備えた正面パネル９が装着されるようになっており、両側面には、側面パネル１０が夫々装着されるようになっている。
【００１８】
隣り合う前記底面パネル７と前記正面パネル９とは、ヒンジ部１２によって互いに回動自在に連結された構成になっており、これによって、図４（Ａ）および図４（Ｂ）と、図５（Ａ）乃至図５（Ｃ）とで示すように、前記ヒンジ部１２を介して、前記底面パネル７に対し前記正面パネル９を約９０°回動させた状態で設置できるようになる。
【００１９】
または、図６（Ａ）および図６（Ｂ）で示すように、前記ヒンジ部１２を介して、前記底面パネル７に対し前記正面パネル９を面一状態に回動させて設置できるようになる。
【００２０】
これらにより、本体５の設置形態に応じて、前記ヒンジ部１２を介して、前記底面パネル７および前記正面パネル９を連結したままの状態で設置作業を行なえることになるので作業性を向上できる。
【００２１】
そして、図４（Ｂ）と、図５（Ａ）および図５（Ｂ）とで示すように、隣り合う前記底面パネル７および前記正面パネル９の一側端が断面Ｌ字状に形成されると共に、前記ヒンジ部１２が隣り合う前記一側端先端部に設けられる一方、前記正面パネル９に前記第二開口部１５の周縁に係脱可能に係止する係止部１６が設けられているので、前記底面パネル７に対し前記正面パネル９を円滑に回動できるようになり、また、前記第二開口部１５の周縁に容易に、且つ正確に係止できるようになる。
【００２２】
その際、前記ヒンジ部１２が、断面Ｌ字状に形成された隣り合う前記一側端先端部に設けられていることから、図４（Ａ）および図４（Ｂ）と、図５（Ａ）および図５（Ｂ）と、図６（Ａ）および図６（Ｂ）とで示すように、使用者が被空気調和室内から視認できなくなるので意匠性を損ねない構成となる。
【００２３】
なお、前記係止部１６は、図５（Ａ）乃至図５（Ｃ）で示すように、断面Ｌ字状に形成された前記正面パネル９の他側端の内側に設けられ、弾性変形することにより前記第二開口部１５の周縁に係脱可能に係止する係止片からなる構成となっているので、同係止片が有効に弾性変形しながら前記第二開口部１５の周縁に円滑に係止して、本体５の正面に前記正面パネル９を正確に装着できる。
【００２４】
また、前記吹出口２には、空気流偏向用のチャンバー１１が連結可能な構成になっており、前記吹出口２から吹き出される空気流を偏向させたい場合、前記チャンバー１１によって容易に、且つ正確に空気流を偏向できるようになっている。
【００２５】
なお、前記チャンバー１１は、前記吹出グリル８を介して前記吹出口２に連通するようにしてもよい。
【００２６】
上記構成により、本体５を天井面Ａ、天井裏もしくは床面上などに設置する場合、これらの設置形態に応じて前記底面パネル７、前記正面パネル９、前記側面パネル１０および前記チャンバー１１などを適宜組み合わせることにより設置できるようになっており、これによって、設置形態に対応して必要な構成部材を選択的に組み合わせることができるようになる。
【００２７】
次に、吊下設置型として天井面Ａから吊下げる場合や、正面吹出型として天井裏に設置する場合や、底面吹出型として天井裏に設置する場合や、床面設置型として床面Ｂ上に設置する場合において、前記底面パネル７、前記正面パネル９および前記チャンバー１１などの構成部材をどのように組み合わせるかについて以下に説明する。
【００２８】
吊下設置型として天井面Ａから吊下げる場合には、第一の実施例として図３で示すように、前記底面パネル７と、前記正面パネル９と、前記側面パネル１０とが夫々装着されてなる本体５が、図示しない吊下げ金具を介装するなどして天井面Ａに吊下げ設置されるようになって、前記吸込口１から吸い込まれ、前記熱交換器３によって熱交換された空気を前記吹出口２から被空気調和室に吹き出せる。
【００２９】
また、正面吹出型として天井裏に設置する場合には、第二の実施例として図４（Ａ）および図４（Ｂ）と、図５（Ａ）および図５（Ｂ）とで示すように、前記天井面Ａに前記底面パネル７に対応する第一開口部１４を形成すると共に、天井裏に正面壁に前記正面パネル９に対応する第二開口部１５を形成する一方、前記底面パネル７と、前記正面パネル９とを装着した本体５が、図示しない据付具を介装するなどして天井裏に設置されるようになっている。
【００３０】
この場合には、図４（Ｂ）で示すような段部を有する天井面Ａ，Ａ’に対応して設置することができるので、例えばホテルやオフィスなどで該当する室内構造があるような場合に好適である。
【００３１】
また、底面吹出型として天井裏に設置する場合には、第三の実施例として図６（Ａ）および図６（Ｂ）で示すように、前記天井面Ａに前記底面パネル７および前記正面パネル９に対応する開口部１３を連続的に形成する一方、前記底面パネル７と、前記チャンバー１１と、同チャンバー１１を臨ませた前記正面パネル９とが夫々装着されてなる本体５が、図示しない据付具を介装するなどして天井裏に設置されるようになっている。
【００３２】
これにより、本体５を天井裏に設置した状態で、前記吸込口１から吸い込まれ、前記熱交換器３によって熱交換された空気を前記チャンバー１１を介して前記吹出口２から被空気調和室に吹き出せるようになり、意匠性を損ねないようにした設置形態となって被空気調和室のインテリア性を高めた高級感を演出できる。
【００３３】
なお、前記開口部１３は、本体５および前記チャンバー１１の寸法および形状に対応して形成されるようになっており、同時に、前記底面パネル７と前記正面パネル９とで閉塞できるように形成されている。
【００３４】
その際、図６（Ｂ）で示すように、前記係止部１６が前記開口部１３の周縁に係止することにより、前記正面パネル９のガタツキが生じないようになっている。
【００３５】
次に、床面設置型として床面Ｂ上に設置する場合について説明する。
第四の実施例として図７で示すように、前記底面パネル７と、前記正面パネル９と、前記側面パネル１０とが夫々装着されてなる本体５が、その背面を前記床面Ｂ上に当接させて設置されるようになっている。
【００３６】
その際、前記正面パネル９は、前記吹出グリル８が前記ヒンジ部１２を介して前記吹出口２に対向するように回動した状態で本体５の正面に装着される。
【００３７】
以上のように、本体５の設置形態により使用者の目に触れる部位が異なることを重視して、意匠性を高めるように形成された前記底面パネル７、前記正面パネル９および前記側面パネル１０や、風向偏向用の前記チャンバー１１の用い方を工夫できるようになるので便利である。
【００３８】
また、梱包時には、本体５と、前記底面パネル７と、前記正面パネル９とを標準部材として標準梱包にし、前記側面パネル１０および前記チャンバー１１をオプション部材として別梱包にして出荷することにより、据付設置作業時には、本体５の設置形態に対応して前記標準部材と、前記オプション部材とに使い分けできるようになるので便利である。
【００３９】
【発明の効果】
以上説明したように、本発明によれば、隣り合う底面パネルおよび正面パネルの一側端をヒンジ部で連結して、天井面に吊下げ設置でき、天井裏に底面吹出しまたは正面吹出しで設置でき、且つ床面上にも設置できるようにしたダクトタイプの空気調和機となる。
【図面の簡単な説明】
【図１】本発明による空気調和機の説明図で、（Ａ）は斜視図であり、（Ｂ）は断面図である。
【図２】本発明による空気調和機の分解斜視図である。
【図３】本発明による空気調和機の第一の実施例を示す斜視図である。
【図４】本発明による空気調和機の説明図で、（Ａ）は第二の実施例を示す斜視図であり、（Ｂ）は第二の実施例による設置状態を示す斜視図である。
【図５】本発明による空気調和機の第二の実施例による設置状態を示す説明図で、（Ａ）は正面パネルを回動する状態を示す断面図であり、（Ｂ）は正面パネルを９０°回動して吹出グリルを吹出口に対向させた状態を示す断面図であり、（Ｃ）は（Ｂ）で示すＣ部の拡大図である。
【図６】本発明による空気調和機の説明図で、（Ａ）は第三の実施例を示す斜視図であり、（Ｂ）は第三の実施例による設置状態を示す断面図である。
【図７】本発明による空気調和機の第四の実施例を示す斜視図である。
【符号の説明】
１  吸込口
２  吹出口
３  熱交換器
４  送風機
５  本体
６  吸込グリル
７  底面パネル
８  吸込グリル
９  正面パネル
１０  側面パネル
１１  チャンバー
１２  ヒンジ部
１３  開口部
１４  第一開口部
１５  第二開口部
１６  係止部
Ａ，Ａ’  天井面
Ｂ  床面
【図１】
2004239530.tif 000003
【図２】
2004239530.tif 000004
【図３】
2004239530.tif 000005
【図４】
2004239530.tif 000006
【図５】
2004239530.tif 000007
【図６】
2004239530.tif 000008
【図７】
2004239530.tif 000009